(57)【特許請求の範囲】
【請求項１】
生体情報を表示する表示手段を備える生体情報処理装置において、
生体よりの収集情報を入力する入力手段と、
前記入力手段で入力した生体よりの収集情報の少なくとも一部を前記表示手段に時系列に波形表示する波形表示手段と、
前記波形表示手段により表示された波形をシフト表示する表示シフト手段とを備え、
前記表示手段は、最上段を時系列表示領域、以下の段を固定波形表示領域とする少なくとも複数段の生体情報表示領域を備え、
前記波形表示手段は、前記表示手段の前記時系列表示領域に前記収集情報を時系列に波形表示する際に、前記時系列表示領域を初期化した後に初期表示位置より波形表示先端位置を移動させながら時系列に表示させ、前記時系列表示領域の端部まで移動表示すると再度前記時系列表示領域を初期化した後に前記初期表示位置より波形表示先端位置を移動させながら波形表示を行なわせ、
前記表示シフト手段は、前記時系列表示領域の前記波形表示手段による初期化時に表示されている波形情報を下段の前記固定波形表示領域に順次シフト表示することを特徴とする生体情報処理装置。
【請求項２】
前記生体よりの収集情報を心電図情報とすることを特徴とする請求項１記載の生体情報処理装置。
【請求項３】
最上段を前記時系列表示領域、以下の段を固定波形表示領域とする少なくとも複数段の生体情報表示領域を備え、生体よりの収集情報を時系列に波形表示可能な表示手段を備える生体情報処理装置における生体情報表示制御方法であって、
生体よりの収集情報を入力し、前記表示手段の前記時系列波形表示領域に前記収集情報を時系列に波形表示する際に、前記時系列表示領域の表示を初期化した後に初期表示位置より波形表示先端位置を移動させながら表示させ、前記時系列表示領域の端部まで移動表示すると再度前記時系列表示領域を初期化した後に前記初期表示位置より波形表示先端位置を移動させながら波形表示を行なわせるとともに、
前記時系列表示領域の初期化の際に表示されている波形情報を下段の前記固定波形表示領域に順次シフト表示させることにより、最新の入力波形を前記時系列表示領域に表示させ、次の段より順次既表示の波形を固定表示させることを特徴とする生体情報表示制御方法。
【請求項４】
前記生体よりの収集情報を心電図情報とすることを特徴とする請求項３記載の生体情報表示制御方法。
【発明の詳細な説明】
【０００１】
【発明の属する技術分野】
本発明は、生体よりの収集情報を時系列に波形表示可能な表示手段を備える生体情報処理装置及び生体情報表示制御方法に関し、例えば生体情報をモニタ可能な生体情報処理装置及び生体情報表示制御方法に関するものである。
【０００２】
【従来の技術】
各種心臓患者の症状の発見、検証に心電図（ＥＣＧ）が広く用いられており、心電計の発達に伴い心電図診断の正確さは非常に増してきている。従来の臨床医学では心電計の測定した心電図を記録紙に印刷記録して波形の変化を確認して心臓疾患の発見、治療に用いていた。
【０００３】
また、電子技術の発達にともなって信号処理技術も進み、ＬＣＤ表示装置を備え、心電図情報を入力してＬＣＤ表示画面に心電図波形を表示して被検者の状態の監視に用いる生体情報モニタ装置も登場してきている。
【０００４】
この種のＬＣＤ表示装置の表示画面に表示される心電図波形の表示は、例えば表示画面の左から右側に順次波形を表示していき、右端まで表示したら再び左端から心電図波形を表示するように構成されており、その際、先に表示されている心電図波形を上書きしながら新たな心電図波形に更新しつつ表示していた。
【０００５】
そして、最新の波形表示部分と過去の波形との間に空白部分を設けてどこの波形が最新表示波形かを示していた。この空白部分が左から右に移動して表示のどの部分が最新の表示心電図波形部分かを視認できるように構成されていた。そして、表示された波形に異常が確認されたような場合には、この異常波形を確認するために波形の表示状態を固定することが可能に構成されていた。
【０００６】
【発明が解決しようとしている課題】
しかしながら、従来の装置では、、心電図の確認をするために表示状態を固定状態とすると空白部分を境にその左側は最新の波形、右側が最も過去の波形となるが、波形の前後関係が連続しておらず、時間的前後関係が把握しにくくできないため、判断がしにくいものであった。特に、複数段に渡って表示する場合には、時間的前後関係が上下にも渡るために、なおさら波形の前後関係の把握がこんなんであった。
【０００７】
【課題を解決するための手段】
本発明は上述の問題点を解決することを目的として成されたもので、上述の問題点を解決する一手段として以下の構成を備える。
【０００８】
即ち、生体情報を表示する表示手段を備える生体情報処理装置において、生体よりの収集情報を入力する入力手段と、前記入力手段で入力した生体よりの収集情報の少なくとも一部を前記表示手段に時系列に波形表示する波形表示手段と、前記波形表示手段により表示された波形をシフト表示する表示シフト手段とを備え、前記表示手段は、最上段を時系列表示領域、以下の段を固定波形表示領域とする少なくとも複数段の生体情報表示領域を備え、前記波形表示手段は、前記表示手段の前記時系列表示領域に前記収集情報を時系列に波形表示する際に、前記時系列表示領域を初期化した後に初期表示位置より波形表示先端位置を移動させながら時系列に表示させ、前記時系列表示領域の端部まで移動表示すると再度前記時系列表示領域を初期化した後に前記初期表示位置より波形表示先端位置を移動させながら波形表示を行なわせ、前記表示シフト手段は、前記時系列表示領域の前記波形表示手段による初期化時に表示されている波形情報を下段の前記固定波形表示領域に順次シフト表示することを特徴とする。
【００１０】
また例えば、前記生体よりの収集生体情報を心電図情報とすることを特徴とする。
【００１１】
【発明の実施の形態】
以下、図面を参照して本発明に係る一実施形態を詳細に説明する。
【００１２】
【第１実施形態】
図１は本発明の生体情報処理装置を生体情報モニタ装置に適用した本発明に係る一実施形態の生体情報モニタ装置の概略ブロツク構成図である。
【００１３】
図１において、１はＲＯＭ２に格納されたプログラムに従い、本実施の形態例装置の全体制御を司る例えばマイクロプロセッサチップ等で構成されるＣＰＵ、２はＣＰＵ１のプログラム等を記憶するＲＯＭ、３はＣＰＵ１の処理経過等を一時記憶するためのＲＡＭであるスタティックメモリ、４はフラッシュメモリである。なお、以上の説明ではＲＯＭ２にＣＰＵ１の制御手順などを格納しておく例について説明したが、本発明の実施の形態例は以上の例に限定されるものではなく、ＣＰＵ１の処理能力を更に上げるために、フラッシュメモリ４にこの制御手順を格納するように構成しても良い。この場合にはＲＯＭ２を省略することも可能である。
【００１４】
５は表示部５０の表示制御を司る表示制御部、６は表示部５０の表示データを記憶するビデオメモリ、７はＮＩＢＰエアユニット１１の制御を司るＮＩＢＰコントロール部、８はレコーダ７０の印刷制御を司る記録制御部である。
【００１５】
１１はカフ９０の加圧制御を行なうと共に、カフ圧を測定するＮＩＢＰエアユニット、１２はアンプ回路である。１３は生体電極８０で検出した生体電圧を増幅する心電アンプである。１４は心電アンプ１３を他の構成より電気的に絶縁状態として商用電源からの電力が生体に回り込むのを防止するアイソレーション回路、１５はアイソレーション回路１４よりの出力値を増幅するアンプ回路である。
【００１６】
１６はＳＰＯ2検出器８５で検出したＳＰＯ2データより被検者のＳＰＯ2を計測すると共に、体温計８６で検出した被検者の体温データより被検者の体温を計測するＳＰＯ2・体温計測回路、１７はＳＰＯ2・体温計測回路１６を他の構成より電気的に絶縁状態として商用電源からの電力が生体に回り込むのを防止するアイソレーション回路、１８はアイソレーション回路１７よりの出力値を増幅するアンプ回路である。
【００１７】
２０はアンプ回路１５、１８よりのアナログ信号を対応するデジタル信号に変換してＣＰＵに出力するＡＤ変換部、２５は商用電源１００Ｖを１７Ｖの交流電圧に変換する電源トランス、３０は電源トランス２５よりの交流電圧を入力し、本実施の形態例の各種構成で使用する直流電力に変換するＡＣ／ＤＣ電源回路部である。また、３５はオプションバッテリであり、商用電源が入力されない場合においても一定時間装置を動作させることができる。
【００１８】
４０はオプションで接続される他の装置に収集生体情報や解析結果を無線送信するための送信モジュール、５０はカラー液晶表示器５１を備える表示部である。６０は操作部、６１はタッチスクリーンである。表示部５０の表示画面上には操作部６０の透明タッチパネル（タッチスクリーン）が配設され、表示画面の表示状態に対応させて各種の指示入力が可能に構成されている。
【００１９】
７０は生体情報の処理結果や信号波形を印刷出力するレコーダである。８０は生体表面の誘導電位を検出する生体電極であり、１２誘導の心電図を検出することが可能である。８５はＳＰＯ2検出器、８６は体温計、９０は血圧を測定するためのカフである。
【００２０】
本実施形態においては、測定される心電図は、例えば１２誘導法に基づいた生体の各部位に装着した生体電極８０よりの誘導電位を心電アンプ１３、アンプ回路１５で増幅し、Ａ／Ｄ変換部２０で対応するデジタル信号に変換してＣＰＵ１に送られ処理される。また、ＳＰＯ2と体温はＳＰＯ2・体温計測回路１６からアイソレーション１７を介してアンプ回路１８に送られて増幅され、Ａ／Ｄ変換部２０で対応するデジタル信号に変換してＣＰＵ１に送られ処理される。
【００２１】
一方、血圧値はカフ９０のカフ圧をＮＩＢＰエアユニット１１で制御し、測定時に加圧−減圧を行い、例えば脈波を同時に検知して最高血圧値及び最低血圧値を検出する。
更に、本実施の形態例の装置では、心電図より脈拍数算出しており、これらの各検出値が正常範囲を超えたような場合には自動的に警報を出力可能に構成されている。
【００２２】
以上の構成を備える本実施の形態例の生体情報モニタ装置における表示部５０の表示画面５１への表示制御を説明する。以下の制御は、例えばＣＰＵ１がＲＯＭ２に格納されているプログラムに従って実行する例について行なう。
【００２３】
本実施の形態例では、特に心電図表示領域での表示制御に特徴を有しており、ここに予め選択した１つの誘導の心電図波形を１トレース分以上表示して表示画面幅より長い時間の波形を目視確認可能としており、合計３トレース分表示することが可能に構成されている。
【００２４】
表示部５０における予め選択した１つの誘導の心電図波形を表示する場合の表示画面の例を図２に示す。本実施の形態例の表示部６の表示画面は大きく２つの表示グロックに分かれており、２００に示す上段が心電図表示領域、２１０に示す下段が解析した他の測定結果を表示する解析結果表示領域である。そして、表示画面の心電図表示領域２００に予め選択した１つの誘導の心電図波形を表示しない場合には、この領域を収集している誘導数に分割し、各分割領域に夫々最新の心電図波形を表示する。
【００２５】
予め選択した１つの誘導の心電図波形を心電図表示領域２００に表示する図２に示す例では、心電図表示領域２００の最上段２０１を最新の心電図を表示する最新心電図表示領域に、中段２０３を直前に最新心電図表示領域２０２に表示されていた心電図が表示される表示領域に、下段２０４を直前に中段表示領域２０３に表示されていた心電図が表示される表示領域にし、３段に心電図波形が表示可能に構成されている。なお、図２では３段に表示する例を説明したが、この表示段数は任意とすることができる。
【００２６】
解析結果表示領域２１０は、心拍数を具体的なデジタル値で表示する心拍数表示領域２１１、ＳＰＯ2測定結果をデジタル値で表示するＳＰＯ2表示領域、最高血圧値と最低血圧値の測定結果を表示する血圧値表示領域２１３、測定した体温を表示する体温表示領域２１４、呼吸数を具体的なデジタル数値で表示する呼吸数表示領域２１５より構成されている。
【００２７】
以上の構成を備える本実施の形態例における表示部６への心電図波形の表示制御を図３のフローチャートを参照して以下に説明する。図３は本実施の形態例の表示画面の心電図表示領域２００に予め選択した１つの誘導の心電図波形を表示する場合の心電図表示制御を示すフローチャートである。なお、表示画面の心電図表示領域２００に予め選択した１つの誘導の心電図波形を表示しない場合の表示制御及び解析結果表示領域２１０の表示制御の詳細説明は公知の表示制御で表示することができる。
【００２８】
本実施の形態例において表示画面の心電図表示領域２００に予め選択した１つの誘導の心電図波形を表示する場合には、まずステップＳ１においてビデオメモリ６の心電図表示領域に対応するメモリ領域をクリアして表示画面の心電図表示領域２００の表示状態を初期化する。
【００２９】
続いてステップＳ２において、ビデオメモリ６の最上段の表示領域２０２の左端より順次右方向に心電図波形を表示するようにビデオメモリ６の対応する領域に心電図波形を描画する。そしてステップＳ３において心電図波形を最上段の表示領域２０２の右端まで表示したか否かを判断する。まだ右端まで表示していない場合にはステップＳ４に進み、当該表示を終了して他の表示場面に移行する指示が出されているか否かを調べる。他の表示場面に移行する指示が出されている場合には当該表示制御を終了して指示された表示制御に移行する。
【００３０】
一方、ステップＳ４で他の表示場面に移行する指示が出されていない場合にはステップＳ２に戻り、最上段の表示領域２０２の左端より順次右方向に心電図波形を表示する制御を続行する。
【００３１】
ステップＳ２の処理を実行して最上段の表示領域２０２の右端まで心電図波形を表示した場合にはステップＳ３よりステップＳ５に進み、ビデオメモリ６の２段目の表示領域２０３に対応する領域の描画データをビデオメモリ６の３段目の表示領域２０４に対応する領域に書き換える。これにより、２段目２０３の表示波形が３段目２０４にシフト表示される。
【００３２】
続いてステップＳ６に進み、ビデオメモリ６の１段目（最上段）の表示領域２０２に対応する領域の描画データをビデオメモリ６の２段目の表示領域２０３０に対応する領域に書き換える。これにより、最上段２０２の表示波形が２段目２０３にシフト表示される。そしてその後ステップＳ７でビデオメモリ６の最上段の表示領域２０２に対応する領域の描画データをクリアしてステップＳ２に戻り、ビデオメモリ６の最上段の表示領域２０２の左端より順次右方向に心電図波形を表示するようにビデオメモリ６の対応する領域に心電図波形を描画する。
【００３３】
なお、以上の表示制御中に表示画面の表示状態を停止する指示があった場合には、ビデオメモリ６の書き換えが停止され、表示状態が固定される。なお、この場合においても最新の心電図表示波形は常に最上段に表示されているため、表示波形の時間の前後を容易に認識することができる。また、最上段の表示波形も上書きではなく新たに最新の表示波形のみを表示するため、最新の表示タイミングを容易に認識できる。
【００３４】
以上説明したように本実施の形態例によれば、常に最新の心電図波形が最上段に表示され、順次下段にいくに従って時間的に遡った波形が表示されているため、表示心電図波形の時間の前後を明確に認識することができる。このため、従来の様に表示画面に表示されている心電図波形のどこの波形が最新の波形であるかは常時画面を注視していなければわからなかったものが、画面を一目見ただけで容易に再新表示波形部分を特定することができる。
【発明の効果】
以上説明した様に本発明によれば、常に最新の心電図波形が最上段に表示され、順次下段にいくに従って時間的に遡った波形が表示されているため、表示心電図波形の時間の前後を明確に認識することができる。
【図面の簡単な説明】
【図１】本発明に係る一実施形態のブロック構成図である。
【図２】本実施の形態例における心電図表示画面の表示例を示す図である。
【図３】本実施の形態例の表示画面の心電図表示領域に予め選択した１つの誘導の心電図波形を表示する場合の心電図表示制御を示すフローチャートである。
【符号の説明】
１    制御部（ＣＰＵ）
２    ＲＯＭ
３    スタティックメモリ
４    フラッシュメモリ
５    表示制御部
６    ビデオメモリ
７    ＮＩＢＰコントロール部
８    記録制御部
１１    ＮＩＢＰエアユニット
１２、１５、１８    アンプ回路
１３    心電アンプ
１４、１７    アイソレーション回路
１６    ＳＰＯ2・体温計測回路
２０    ＡＤ変換部
２５    電源トランス
３０    ＡＣ／ＤＣ電源回路部
３５    オプションバッテリ
４０    送信モジュール
５０    表示部
５１    カラー液晶表示器
６０    操作部
６１    透明タッチパネル（タッチスクリーン）
７０    レコーダ
８０    生体電極
８５    ＳＰＯ2検出器
８６    体温計
９０    カフ
【図１】
0004184552.tif 000002
【図２】
0004184552.tif 000003
【図３】
0004184552.tif 000004